(57)【要約】目的は保護パッドを装着者の身体の任意の位置、任意の向きに任意の数だけ装着する事ができ、容易に着脱でき、さらに外部から衝撃を受けても容易に外れない格闘技用保護具を提供することにある。本発明の格闘技用保護具はボディスーツ２０と保護パッド５０とを具備する。ボディスーツ２０は、外表面がループ型の面ファスナＲで形成される。保護パッド５０は半円筒形状又は板形状の衝撃吸収芯材からなるパッド本体５１が、ループ型の面ファスナの表皮５０ａで覆われ、裏面に複数のフック型の面ファスナピース５４（Ｆ）が装着されてなる。保護パッド５０は面ファスナピース５４（Ｆ）によりボディスーツ２０の任意の位置及び任意の向きに着脱自在に装着される。
2019225616.tif 000002
【特許請求の範囲】
【請求項１】
ループ型の面ファスナで形成されたボディスーツと、
衝撃吸収芯材からなる半円筒形状又は板形状のパッド本体が、ループ型の面ファスナの表皮で覆われ、裏面に複数のフック型の面ファスナピースが装着されてなる少なくとも一の保護パッドとを具備し、
前記保護パッドは前記面ファスナピースにより前記ボディスーツの任意の位置及び任意の向きに着脱自在に装着されることを特徴とする格闘技用保護具。
【請求項２】
前記パッド本体は２つのパッド本体部分からなり、折れ曲がり自在に連結されることを特徴とする請求項１に記載の格闘技用保護具。
【請求項３】
前記保護パッドより大型且つ肉厚の衝撃吸収芯材からなるパッド本体が、ループ型の面ファスナの表皮で覆われ、裏面に複数のフック型の他の面ファスナピースが装着されてなる少なくとも一の他の保護パッドをさらに備えることを特徴とする請求項１に記載の格闘技用保護具。
【請求項４】
下腿部前側を覆うための衝撃吸収芯材からなる短冊形状の下腿用プロテクタ本体、足首部前側を覆うための衝撃吸収芯材からなる板状の足首用プロテクタ本体、及び足背部からつま先にかけて覆うための衝撃吸収芯材からなる板状の足背用プロテクタ本体が折れ曲がり自在に連結され、且つループ型の面ファスナの表皮で覆われ、前記下腿用プロテクタ本体と前記足首用プロテクタ本体各々の裏面に複数のフック型の面ファスナピースが装着され、前記足背用プロテクタ本体の裏面には足親指を挿入するループと四指を一括挿入するループとが装着されている少なくとも一のレッグプロテクタをさらに備えることを特徴とする請求項１に記載の格闘技用保護具。
【請求項５】
下腹部前側を覆う衝撃吸収芯材からなる三角板形状の下腹部用プロテクタ本体と、前記下腹部用プロテクタ本体に取り付けられた股間保護用のファウルカップとからなり、前記下腹部用プロテクタ本体は前記ファウルカップとともにループ型の面ファスナの表皮で覆われ、裏面に複数のフック型の面ファスナピースが装着されてなる下腹部・股間プロテクタをさらに備えることを特徴とする請求項１に記載の格闘技用保護具。
【請求項６】
前記面ファスナピースは、長方形又は楕円状に形成され、前記面ファスナピースの長手方向は前記保護パッドの中心部から放射状に配置されていることを特徴とする請求項１に記載の格闘技用保護具。
【請求項７】
フック型の面ファスナで形成されたボディスーツと、
衝撃吸収芯材からなる半円筒形状又は板形状のパッド本体が、フック型の面ファスナの表皮で覆われ、裏面に複数のループ型の面ファスナピースが装着されてなる少なくとも一の保護パッドとを具備し、
前記保護パッドは前記面ファスナピースにより前記ボディスーツの任意の位置及び任意の向きに着脱自在に装着されることを特徴とする格闘技用保護具。
【請求項８】
複数の短冊形状のループ型面ファスナピースが装着されたボディスーツと、
衝撃吸収芯材からなる半円筒形状又は板形状のパッド本体が、ループ型面ファスナの表皮で覆われ、裏面に複数のフック型面ファスナピースが装着されてなる少なくとも一の保護パッドとを具備し、
前記保護パッドは前記フック型面ファスナピースにより前記ボディスーツの前記ループ型面ファスナピースに着脱自在に装着されることを特徴とする格闘技用保護具。
【請求項９】
前記ループ型面ファスナピースは伸縮性を有さず、前記ボディスーツは伸縮性を有し、
前記複数のループ型面ファスナピースは、その長辺方向が前記ボディスーツの上腕部分と前腕部分と大腿部分と下脚部分の少なくとも一の表面に、その長さ方向と平行に配置され、且つ互いに所定の間隔を隔てて周方向に沿って配列されることを特徴とする請求項８に記載の格闘技用保護具。
【請求項１０】
前記ボディスーツには、前記ループ型面ファスナピースに対して略直交するように他のループ型面ファスナピースが取り付けられることを特徴とする請求項９に記載の格闘技用保護具。
【発明の詳細な説明】
【技術分野】
【０００１】
本発明は、格闘技の装着者の身体を保護するための格闘技用保護具に関する。
【背景技術】
【０００２】
空手等の格闘技の練習に際し、相手側からの攻撃を直接受けるとダメージが大きくなることから、様々な格闘技用保護具（プロテクタ）が開発されている。例えば、首や肩に掛けられる吊りバンドをベースとして胸部や腹部に保護パッドを装着した格闘技用保護具が知られている。このような格闘技用保護具においては、装着者の胸部や腹部が保護され、衝撃が装着者の胸部や腹部に加えられたとしても、その衝撃から装着者を保護する。【０００３】
この他、肘、膝、脛等に紐やベルト等を用いて個別に装着する保護パッド・保護器具や、腰部にベルト型の保護パッドとして着用する格闘技用保護具も知られている。
【発明の概要】
【発明が解決しようとする課題】
【０００４】
上述した格闘技用保護具では、次のような問題があった。すなわち、練習の種類や格闘技の種類によって保護すべき部位が異なることから、吊りバンドをベースにしたものにおいては、胸部及び腹部周辺しか保護できない。また、装着者の必要な位置に保護パッドや保護器具を装着する場合には、紐やベルト等を用いるため、練習時に衝撃を受けると保護パッドが装着した位置からずれてしまい、保護機能を失うことがあった。逆に強固に装着しようとすると、取り外しが困難となっていた。【０００５】
そこで本発明は、保護パッドを装着者の身体の任意の位置、任意の向きに任意の数だけ装着する事ができ、容易に着脱でき、さらに外部から衝撃を受けても容易に外れない格闘技用保護具を提供することを目的としている。
【課題を解決するための手段】
【０００６】
上記課題を解決し目的を達成するために、本発明の格闘技用保護具は次のように構成されている。【０００７】
本発明の格闘技用保護具はボディスーツと少なくとも一の保護パッドとを具備する。ボディスーツはループ型の面ファスナで形成される。保護パッドは、衝撃吸収芯材からなる半円筒形状又は板形状のパッド本体が、ループ型の面ファスナの表皮で覆われ、裏面に複数のフック型の面ファスナピースが装着されてなる。保護パッドは面ファスナピースによりボディスーツの任意の位置及び任意の向きに着脱自在に装着される。
【発明の効果】
【０００８】
本発明によれば、面ファスナの貼り合わせを利用することにより、任意数の保護パッドをボディスーツを装着した装着者の任意の位置、任意の向きに装着することができ、且つ装着者の動きを干渉することも軽減される。また保護パッドがループ型の面ファスナの表皮で覆われているので、保護パッドに他の保護パッドを重ねて装着することも可能である。【０００９】
紐やベルト等を装着者に巻きつけて留めるのではなく、保護パッドをボディスーツに押し付けるという簡易な作業で保護パッドを装着することができる。また、紐やベルト等を装着者に巻きつけて留める場合、紐やベルト等の緩みにより保護パッドは位置がずれたり、外れてしまうことがあるが、外部から衝撃を受けた保護パッドはボディスーツに押し付けられ、ボディスーツにより貼り付くので、容易にずれないし、外れ難い。ボディスーツはループ型の面ファスナで形成されるので、柔らかい着心地を確保できる。
【図面の簡単な説明】
【００１０】
【図１】本発明の一実施の形態に係る格闘技用保護具を示す正面図。
【図２】同格闘技用保護具のボディスーツを示す正面図。
【図３】同格闘技用保護具に用いられる面ファスナの原理を模式的に示す説明図。
【図４】同格闘技用保護具の保護パッド等の取付例を示す正面図。
【図５】同格闘技用保護具のチェストプロテクタであって、（ａ）は正面側を示す斜視図、（ｂ）は背面側を示す斜視図。
【図６】同格闘技用保護具の汎用の保護パッドであって、（ａ）は正面側を示す斜視図、（ｂ）は背面側を示す斜視図。
【図７】同格闘技用保護具の大腿部用の保護パッドであって、（ａ）は正面側を示す斜視図、（ｂ）は背面側を示す斜視図。
【図８】同格闘技用保護具のレッグプロテクタであって、（ａ）は正面側を示す斜視図、（ｂ）は背面側を示す斜視図。
【図９】同格闘技用保護具の下腹部・股間プロテクタであって、（ａ）は斜視図、（ｂ）は断面図。
【図１０】本実施形態に係る格闘技用保護具のボディスーツの変形例を示す図。
【図１１】本実施形態に係る格闘技用保護具の変形例を示す図。
【図１２】図１１のボディスーツを示す正面図。
【発明を実施するための形態】
【００１１】
本発明の格闘技用保護具は、主に空手、ボクシングなどの打撃性競技の打撃練習の際に用いられる。格闘技用保護具は保護パッドを着脱自在に装着するためのボディースーツを有する。典型的には、ボディースーツは、顔部分、手首から先の部分、及び足首から先の部分以外の全身を覆う上下一体型の全身タイプである。なお、ボディースーツとしては、上記全身タイプのボディースーツの袖を肘より短くした半袖タイプであってもよいし、裾を膝より短くした半ズボンタイプであってもよい。もちろん、袖や裾がないタイプであってもよいし、袖や裾が７分丈、３分丈であってもよい。また、ボディースーツは、上半身用と下半身用とで上下に分離したタイプであってもよい。以下、顔部分、手首から先の部分、及び足首から先の部分以外の全身を覆う一体型の全身用のボディースーツを例に本実施形態を説明する。
【００１２】
図１は本発明の一実施の形態に係る格闘技用保護具１０を示す正面図、図２は格闘技用保護具１０のボディスーツ２０を示す正面図である。なお、図１において二点鎖線は装着者を示しており、Ｈは頭部、Ｂは体幹部、Ｕは腕部、Ｌは脚部を示している。
【００１３】
図１、図２に示すように格闘技用保護具１０は、装着者が着用する全身用のボディスーツ２０を有する。図４に示すようにボディスーツ２０の上腕部分、前腕部分等の任意の部分に任意の数の保護パッド（汎用保護パッド）５０が任意の向きで着脱自在に装着される。ボディスーツ２０の胸部前側にはチェストプロテクタ３０が着脱自在に装着される。ボディスーツ２０の下腹部前側から股間にわたる部分には下腹部・股間プロテクタ４０が着脱自在に装着される。ボディスーツ２０の大腿部部分の前側には保護パッド５０より大型且つ肉厚の保護パッド７０が着脱自在に装着される。ボディスーツ２０の下腿部分の前側、足首部分の前側、足背部分からつま先部分にかけて前側にはレッグプロテクタ８０が着脱自在に装着される。また、保護パッド５０に他の保護パッド５０を重ねて装着することができ、さらに保護パッド７０に保護パッド５０を重ねて装着することができる。レッグプロテクタ８０にも保護パッド５０、７０を重ねて装着することができる。さらにチェストプロテクタ３０、下腹部・股間プロテクタ４０、レッグプロテクタ８０にも保護パッド５０、７０を重ねて装着することができる。
【００１４】
図２に示す上下一体型又は上下分割型のボディスーツ２０は、伸縮性を備えた柔軟な素材（綿、ポリエステル等）によって形成されており、装着者が容易に着脱できるように構成されている。ボディスーツ２０の外表面はほぼ全面に図３に示すようなループ型面ファスナＲで形成されている。典型的にはボディスーツ２０はループ型面ファスナ生地で縫製されてなる。もちろんボディスーツ２０はループ型面ファスナ生地と他の例えば吸汗性の良好な綿布等の生地とを重ねて縫製してもよいが、その場合ループ型面ファスナ生地は外側に、他の例えば吸汗性の良好な綿布等の生地は内側に配置される。なお、腋の下や膝裏等のように関節の内側等のように保護パッドを装着する可能性のほぼ無い箇所にはループ型面ファスナＲを必ずしも設けなくても良い。ボディスーツ２０をループ型の面ファスナで形成することにより、柔らかい着心地を確保できるものであるが、ボディスーツ２０をループ型の面ファスナよりも硬いフック型面ファスナ生地で縫製されることを否定するものではない。
【００１５】
図３に示すように、ループ型面ファスナＲのループ部分と、フック型面ファスナＦの鉤部分とが引っ掛かることで、強く結合する。なお、ループ型面ファスナＲ、フック型面ファスナＦのいずれも化繊で形成されている。ループ型面ファスナＲは手触りが柔らかく、フック型面ファスナＦは硬く粗い手触りとなる。この観点からボディスーツ２０はループ型面ファスナＲで形成される。
【００１６】
図５に示すようにチェストプロテクタ３０は、装着者の胸部形状及び腹部形状に合わせた鞍形状の硬質プラスチック製のプロテクタ本体３１を有している。プロテクタ本体３１の胸部と腹部には、例えば厚さ３ｃｍの発泡ウレタン等の衝撃吸収芯材で形成されたパッド３２，３３がそれぞれ装着されている。プロテクタ本体３１はパッド３２，３３とともいループ型面ファスナ生地Ｒで覆われ、プロテクタ本体３１の裏面側の面ファスナ生地Ｒには複数のフック型面ファスナピース３４（Ｆ）が縫着又は貼着により取り付けられている。チェストプロテクタ３０は、ボディスーツ２０の胸部箇所の任意の位置に貼り付ける事が可能である。
【００１７】
図６に示す保護パッド５０は、例えば厚さ３ｃｍの発泡ウレタン材等の衝撃吸収芯材からなる略半円筒形又は緩やかに湾曲した板形状のパッド本体５１を有している。パッド本体５１は２つのパッド本体部分５２，５３からなり、折れ曲がり部５５で折れ曲がり自在に連結されている。パッド本体５１の２つのパッド本体部分５２，５３はループ型面ファスナＲの表皮５１ａで一体的に覆われている。なお、２つのパッド本体部分５２，５３は表皮５１ａで折れ曲がり自在に連結されていてもよい。
【００１８】
パッド本体部分５２，５３各々の裏面の表皮５１ａ上には複数枚、ここでは４枚の長方形状又は楕円状のフック型面ファスナピース５４（Ｆ）が縫着又は貼着により取り付けられている。フック型面ファスナピース５４（Ｆ）はパッド本体部分５２，５３各々の中心部Ｑから放射状に配置されている。このような向きに面ファスナピース５４（Ｆ）を配置することで、保護パッド５０を取り外す際に力が入れやすい四隅方向から中心に向かって面ファスナピース５４（Ｆ）の長手方向に沿って剥がしてゆくことができ、強い力を必要とすることなく、保護パッド５０を取り外すことができる。また相手側からパンチやキック等の強い衝撃は面ファスナピース５４（Ｆ）の長手方向と平行又はそれに近いほう方向にかかるため、面ファスナピース５４（Ｆ）の短手方向にかかるよりもボディスーツ２０から剥がれ落ち難く、位置もずれ難い。
【００１９】
保護パッド５０は、従来のように紐やベルト等を装着者に巻きつけて留めるのではなく、ボディスーツ２０に押し付け、貼り付けるという簡易な作業で、任意の位置且つ任意の向きに任意の数を装着することができる。また紐やベルトにより巻きつけて装着する従来よりも、装着者の動きを干渉することも軽減される。
【００２０】
保護パッド５０は、２分割構造になっており、自在に折れ曲がるので、肘部、膝部などの関節部位にも装着することが可能である。パッド本体部分５２，５３はループ型面ファスナＲの表皮５１ａで覆われているため、保護パッド５０に重ねて他の保護パッド５０を装着することもできる。
【００２１】
また紐やベルト等を装着者に巻きつけて留める場合、紐やベルト等の緩みにより保護パッドは位置がずれたり、外れてしまうが、保護パッド５０は外部から衝撃を受けたとき、ボディスーツ２０に押し付けられ、より貼り付くので、容易にずれないし、外れ難い。
【００２２】
図７に示すように大腿部用保護パッド７０は、保護パッド５０よりも大型且つ肉厚の半円筒形状又は緩やかに湾曲した板形状の例えば厚さ５ｃｍの発泡ウレタン材等の衝撃吸収芯材のパッド本体７１を有する。パッド本体７１にはその両側端から拡がるように、例えば厚さ３ｃｍの板形状の衝撃吸収芯材からなる翼部７３が折曲自在に接続される。
【００２３】
パッド本体７１は翼部７３とともにループ型面ファスナの表皮７１（ａ）で覆われる。パッド本体７１の裏面の表皮７１（ａ）上には複数枚ここでは４枚の長方形状又は楕円状のフック型面ファスナピース７２（Ｆ）が縫着又は貼着により取り付けられている。翼部７３の裏面の表皮７１（ａ）上にも複数枚ここでは２枚の長方形状又は楕円状のフック型面ファスナピース７４（Ｆ）がその長さ方向に沿って縫着又は貼着により取り付けられている。
【００２４】
パッド本体７１のフック型面ファスナピース７２（Ｆ）はその長手方向がパッド本体部分７１の中心部Ｑから放射状に配置されている。保護パッド７０は、ボディスーツ２０の大腿部分又は他の任意の部分に装着することができ、さらにチェストプロテクタ３０のプロテクタ本体３１に重ねて装着することもできる。
【００２５】
装着時には、パッド本体７１と翼部７３は装着者の大腿部をその前面部分から側面部分にわたって包囲する。それによりボディスーツ２０に対する保護パッド７０の装着強度が増大し、そのずれ等が抑制され得る。
【００２６】
図８にはレッグプロテクタ８０を示している。レッグプロテクタ８０は下腿部Ｌの前面側を覆うための例えば厚さ３ｃｍの衝撃吸収芯材からなる半円筒形状又は緩やかに湾曲した板形状のの下腿用プロテクタ本体８２、足首部前側を覆うための例えば厚さ３ｃｍの板状の衝撃吸収芯材からなる足首用プロテクタ本体８４、及び足背部からつま先にかけて覆うための例えば厚さ３ｃｍの板状の衝撃吸収芯材からなる足背（足甲）用プロテクタ本体８５が折れ曲がり自在に連結されている。下腿用プロテクタ本体８２にはその両側端から拡がるように、例えば厚さ３ｃｍの板状の衝撃吸収芯材からなる翼部８３が折曲自在に接続される。
【００２７】
足背用プロテクタ本体８５の裏面には、装着者の足親指を挿入するためのループ８５ａ、親指以外の４指を一括して挿入するためのループ８５ｂが設けられている。好ましくは足背用プロテクタ本体８５はその先端が足指の先端から突出する長さを有する。装着者の足指の爪が練習相手に衝突して自身の爪が損傷したり、練習相手を傷つける事態の発生が抑制され得る。
【００２８】
下腿用プロテクタ本体８２はループ型面ファスナの表皮８１ａで覆われている。同様に翼部８３、足首用プロテクタ本体８４及び足背用プロテクタ本体８５もループ型面ファスナの表皮で覆われている。下腿用プロテクタ本体８２の裏面の表皮８１ａ上には複数枚の長方形状又は楕円状のフック型面ファスナピース８３（Ｆ）が縫着又は貼着により取り付けられている。フック型面ファスナピース８３（Ｆ）はパッド本体８１の中心部Ｑから放射状に配置されている。翼部８３、足首用プロテクタ本体８４各々の裏面の表皮にもフック型面ファスナピース８３（Ｆ）が縫着又は貼着により取り付けられている。
【００２９】
装着時には、下腿用プロテクタ本体８２と翼部８３は装着者の下腿をその前面部分から側面部分にわたって包囲する。それによりボディスーツ２０に対するレッグプロテクタ８０の装着強度が増大し、レッグプロテクタ８０のずれ等が抑制され得る。
【００３０】
図９には下腹部・股間プロテクタ４０を示している。下腹部・股間プロテクタ４０は、下腹部前側を覆う衝撃吸収芯材からなる下腹部用プロテクタ本体４２を有する。下腹部用プロテクタ本体４２は下腹部の外形に沿って緩やかに湾曲した略三角の板形状に形成される。下腹部用プロテクタ本体４２の中央下側には股間保護用のファウルカップ４５が取り付けられる。ファウルカップ４５は、お椀形の金属製の外側カップ４８と、衝撃吸収材製の中間カップ４７と、硬質プラスチック製の内側カップ４６との３層構造になっている。
【００３１】
下腹部用プロテクタ本体４２はファウルカップ４５とともにループ型の面ファスナの表皮４１ａで覆われる。下腹部用プロテクタ本体４２とファウルカップ４５各々の裏面の表皮４１ａ上には複数のフック型の面ファスナピース４３（Ｆ）が貼り付けられている。
【００３２】
このように構成された格闘技用保護具１０によれば、保護パッド５０、７０をフック型面ファスナピースＦとループ型面ファスナＲを利用してボディスーツ２０の任意の位置に任意の向きで任意の数を装着する事ができる。さらに保護パッド５０，７０に他の保護パッド５０，７０を適宜重ねて装着することも可能であり、部分的に保護機能を強化することもできる。チェストプロテクタ３０、下腹部・股間プロテクタ４０、レッグプロテクタ８０も装着者の体格等に応じてボディスーツ２０の適当な位置に装着する事ができる。
【００３３】
格闘技の練習の際に、相手側からパンチやキック等の強い衝撃を受けた場合、保護パッド５０等はボディスーツ２０に押し付けられるため、フック型面ファスナはループ型面ファスナにより貼り付くので、容易にずれないし、ボディスーツ２０から剥がれ落ち難い。
【００３４】
一方、フック型面ファスナピースを長方形状又は楕円状に形成することで、その長手方向に沿って端部からゆっくりループ型面ファスナから剥がしてゆくことで、強い力を必要とすることなく、保護パッド５０等を比較的容易に取り外すことができる。
【００３５】
さらに、保護パッド５０，７０、レッグプロテクタ８０においては、フック型面ファスナピースの長手方向を保護パッドの中心部Ｑから放射状に配置することで、パッド本体５１、パッド本体７１、下腿用プロテクタ本体８２の四隅を持って引き剥がすことができ、強い力を必要とすることなく取り外しが可能となる。なお、フック型面ファスナピースについては、格闘技の種類や設置する部位等によって、形状や面積等を自由に形成することができるが、面積を広くしすぎると取り外しが困難になり、面積が狭すぎると接着力が低下するため、小面積のフック型面ファスナピースを設置することが合理的である。
【００３６】
さらにボディスーツ２０、保護パッド５０等の表皮をフック型面ファスナではなく、ループ型面ファスナで形成したことで、練習相手の衣服に引っかかる等の不具合が生ずることがない。
【００３７】
このように本発明に係る格闘技用保護具１０は、任意の個数の保護パッド等を装着者の所望の位置に任意の向きで高い自由度でもって装着することができると共に、取り外しも容易である。さらに、練習中に強い衝撃を受けても紐やベルトと異なり、ズレたり、脱落したりする虞がない。このため、格闘技の練習を効率よく行うことが可能となる。
【００３８】
なお上述では、ボディスーツ２０はその外表面のほぼ全面がループ型面ファスナＲで形成すると説明した。図１０に示すように、ボディスーツ１２０は例えば伸縮性及び吸汗性の良好な綿布等の生地で縫製して、その表面における適当な複数の位置に、伸縮性を有さないが、剥がれ難い特性を備えた複数の短冊形状のループ型面ファスナピース１３１、１３２、１３３、１３４、１３５，１３６、１３７、１３８を適当な方向に縫着又は貼着により取り付けるようにしてもよい。
【００３９】
ボディスーツ１２０の上腕部分に長尺の複数、典型的には２乃至３本のループ型面ファスナピース１３１が取り付けられる。面ファスナピース１３１の長辺方向はボディスーツ１２０の上腕部分の長さ方向と略平行に配向される。それにより保護パッド５０をその長辺方向に沿って任意の位置に且つ任意の向きに装着することができる。また複数のループ型面ファスナピース１３１が一定の間隔を隔ててボディスーツ１２０の上腕部分の周方向に沿って配列される。それによりボディスーツ１２０の上腕部分の周方向の伸縮を制限することないので、装着者はボディスーツ１２０を楽に脱ぎ着することがきる。
【００４０】
勿論、ボディスーツ１２０を伸縮性及び吸汗性、さらには蒸汗性の優れた任意の生地で形成する事ができるようになり、それにより着脱の容易さ、着装したときの快適性を向上させることができる。
【００４１】
同様にボディスーツ１２０の前腕部分には長尺の複数、典型的には２乃至３本のループ型面ファスナピース１３２が取り付けられる。面ファスナピース１３２の長辺方向はボディスーツ１２０の前腕部分の長さ方向と略平行に配向される。また複数のループ型面ファスナピース１３２が一定の間隔を隔ててボディスーツ１２０の前腕部分の周方向に沿って配列される。
【００４２】
同様にボディスーツ１２０の大腿部分には長尺の複数、典型的には２乃至３本のループ型面ファスナピース１３６が取り付けられる。面ファスナピース１３６の長辺方向はボディスーツ１２０の大腿部分の長さ方向と略平行に配向される。また複数のループ型面ファスナピース１３６が一定の間隔を隔ててボディスーツ１２０の大腿部分の周方向に沿って配列される。さらにボディスーツ１２０の大腿部分には面ファスナピース１３６と略直交する向き、換言すると大腿部分の周方向と略平行に長尺の複数、典型的には２本のループ型面ファスナピース１３９が取り付けられる。保護パッド７０をその長辺方向に沿って任意の位置に且つ任意の向きに装着することができ、また保護パッド７０を周方向にもずらして装着することができるものであるが、そのような場合であっても翼部７３のフック型面ファスナピース７４（Ｆ）をループ型面ファスナピース１３９のいずれかの位置で柔軟に受ける事ができる。
【００４３】
ボディスーツ１２０の胸部分には、チェストプロテクタ３０の裏面のフック型面ファスナピース３４の位置に応じた位置に、フック型面ファスナピース３４より若干大型のループ型面ファスナピース１３３が取り付けられている。それにより好みの位置にチェストプロテクタ３０を装着することができる。
【００４４】
ボディスーツ１２０の両肩部分にはループ型面ファスナピース１３４がそれぞれ取り付けられている。それによりボディスーツ１２０の両肩部分に保護パッド５０、図示しない肩パッド、又はフェイスガードを装着することができる。
【００４５】
ボディスーツ１２０の下脚部分には長尺のループ型面ファスナピース１３７がその長辺方向が長さ方向と平行に且つ周方向に所定間隔を隔てて配列され、そして足背部分にもループ型面ファスナピース１３８が取り付けられている。面ファスナピース１３７，１３８にレッグプロテクタ８０が着脱自在に装着される。またボディスーツ１２０の下脚部分にはループ型面ファスナピース１３７と略直交する向き、換言すると下脚部分の周方向と略平行に長尺の複数、典型的には２本のループ型面ファスナピース１４０が取り付けられる。レッグプロテクタ８０をその長辺方向に沿って少しずらして且つ任意の向きに装着することができ、またレッグプロテクタ８０を周方向にも少しずらして装着することができるものであるが、そのような場合であっても翼部８３のフック型面ファスナピース８３（Ｆ）をループ型面ファスナピース１４０のいずれかの位置で柔軟に受ける事ができる。
【００４６】
図１１は、本実施形態に係る格闘技用保護具の変形例を示す図、図１２は、図１１のボディスーツを示す正面図である。本実施形態の変形例に係る格闘技用保護具９０は、図２に示した全身用のボディースーツ２０の袖を短くした半袖タイプであって、且つ裾を短くした半ズボンタイプであるボディースーツ２００を有する。全身用ボディースーツ２０の袖と裾とを短くしただけであるから、本実施形態で説明したチェストプロテクタ３０、下腹部・股間プロテクタ４０、及び大腿部部分の前側の保護パッド７０を、ボディースーツ２００に対して着脱自在に装着することができる。もちろん、これらのパッドに対して重ねて保護パッド５０を装着することもできる。変形例に係る格闘技用保護具９０のボディースーツ２００は、肘から先の部分や膝から先の部分が露出しているため、本実施形態に格闘技用保護具１０に比べて軽量であり、暑さ対策にも有効である。
【００４７】
本発明は前記実施の形態に限定されるものではない。例えば、上述した例では、格闘技用保護具として説明したが、他のスポーツや災害時の救助活動用プロテクタ、リハビリの際の保護用スーツ等としても使用することもできる。この他、本発明の要旨を逸脱しない範囲で種々変形実施可能であるのは勿論である。
【符号の説明】
【００４８】
１０…格闘技用保護具、２０…ボディスーツ、３０…チェストプロテクタ、４０…下腹部・股間プロテクタ、５０…保護パッド、７０…保護パッド、８０…レッグプロテクタ。
【図１】
2019225616.tif 000003
【図２】
2019225616.tif 000004
【図３】
2019225616.tif 000005
【図４】
2019225616.tif 000006
【図５】
2019225616.tif 000007
【図６】
2019225616.tif 000008
【図７】
2019225616.tif 000009
【図８】
2019225616.tif 000010
【図９】
2019225616.tif 000011
【図１０】
2019225616.tif 000012
【図１１】
2019225616.tif 000013
【図１２】
2019225616.tif 000014
【国際調査報告】
2019225616.tif 000015
2019225616.tif 000016
2019225616.tif 000017
2019225616.tif 000018